(57)【要約】【課題】本体フレームとアダプターとの接合部において隙間が生じ、気密性が損なわれてしまうことを防止することを目的とする。【解決手段】ファンケース６は、排気口の周縁に下流方向に突出する壁部２０と、壁部２０よりも外周側に排気口よりも外周側への空気の漏れを抑制する弾性材２１と、を備えるという構成にしたことにより、ファンケース６とアダプター５との間の隙間を無くし、運転時の風漏れを抑制できる天井埋込型換気扇を得られる。【選択図】図２
2020143866.tif 000002
【特許請求の範囲】
【請求項１】
底面に吸込口と一側面に吹出口とを有する筐体と、
上流開口を前記吹出口に一致させて前記筐体に接続されるアダプターと、
前記吸込口に対応する給気口と前記吹出口に対応する排気口とを有し前記排気口を有する排気面が前記筐体における前記吹出口を有する吹出面に内接するファンケースと、
前記吸込口から前記吹出口に空気を導く送風部と、を備え、
前記ファンケースは、
前記排気口の周縁に下流方向に突出する壁部と、
前記壁部よりも外周側に前記排気口よりも外周側への空気の漏れを抑制する弾性材と、を備えた天井埋込型換気扇。
【請求項２】
前記吹出口は、
前記排気口よりも大きく、
前記弾性材は、
前記壁部と前記吹出口の内周辺との間に設けられた請求項１記載の天井埋込型換気扇。
【請求項３】
前記壁部は、
前記下流方向への突出高さが前記筐体の前記吹出面の厚さと一致する請求項２記載の天井埋込型換気扇。
【請求項４】
前記筐体は、
前記吹出口の一辺が前記筐体の天面と同一平面上に位置し、
前記ファンケースは、
前記排気口の一辺が前記同一平面上に位置する、請求項１から３のいずれかに記載の天井埋込型換気扇。
【請求項５】
前記筐体は、
前記天面を構成する矩形の天面板と、
前記天面板に隣接する四つの側面を形成する四枚の側面板と、を備え、
前記天面板は、
前記吹出面を形成する前記側面板の前記吹出口の内周を通って前記天面に垂直に立設する立設面を備えた請求項４に記載の天井埋込型換気扇。
【請求項６】
前記立設面は、
前記吹出面を形成する前記側面板の外周側平面と同一平面上に位置し、
当該立設面を構成する一辺が前記吹出口の一辺を構成する請求項５記載の天井埋込型換気扇。
【請求項７】
前記立設面は、
前記吹出口の周縁に該当する位置に前記弾性材を備えた請求項６記載の天井埋込型換気扇。
【請求項８】
前記天面板は、
前記送風部を構成するモーターを固定するモーター固定部を備え、
前記立設面の上端辺は、
前記天面板から突出する前記モーターの上端よりも上方に位置し、
前記モーターの上端を基準として前記立設面とは逆側に、前記上端辺と略同一の高さを有するモーター保護部を備えた請求項５に記載の天井埋込型換気扇。
【請求項９】
前記四つの側面板は、
前記天面板に重なる天面折曲部と、
一方に隣接する側面板に重なる側面折曲部と、
他方に隣接する側面板の前記側面折曲部が重なる被重合領域と、を備える請求項５記載の天井埋込型換気扇。
【発明の詳細な説明】
【技術分野】
【０００１】
本発明は、天井埋込型換気扇に関するものである。
【背景技術】
【０００２】
従来、天井埋込型換気扇は、天井裏への施工が容易にできるように、本体フレームとアダプターが分離した構造が知られている。（例えば、特許文献１参照）。
【０００３】
以下、その天井埋込型換気扇について図４を参照しながら説明する。
【０００４】
図４は従来の天井埋込型換気扇１０１の斜視図である。筐体１０２の内部空間にファンケースと、羽根と、モーターとを設けて、モーターの回転軸を回転させることにより、回転軸に固定された羽根を回転駆動する。これにより、筐体の底面部から吸い込んだ空気を吹出口１０４に対応するファンケースの排気口１０５から筐体１０２の外部へ排出する。吹出口１０４の下流側にはアダプター１０３が取り付けられ、アダプター１０３の下流側に突出する円筒状の吹出口から空気を排出することで、天井埋込型換気扇１０１が換気を行う。
【先行技術文献】
【特許文献】
【０００５】
【特許文献１】特開２００３−６５５８２号公報
【発明の概要】
【発明が解決しようとする課題】
【０００６】
上記に示した天井埋込型換気扇は、天井裏への施工が容易にできるように、本体フレームとアダプターが分離した構造を有する。このような構造の場合、本体フレームとアダプターとの接合部において隙間が生じやすく、気密性が損なわれてしまうという課題を有していた。
【０００７】
そこで本発明は、上記従来の課題を解決するものであり、接合部近傍における空気の漏れを抑制し、効率よい送風を実現することを目的とする。
【課題を解決するための手段】
【０００８】
そして、この目的を達成するため、本発明に係る天井埋込型換気扇は、底面に吸込口と一側面に吹出口とを有する筐体と、上流開口を前記吹出口に一致させて前記筐体に接続されるアダプターと、前記吸込口に対応する給気口と前記吹出口に対応する排気口とを有し前記排気口を有する排気面が前記筐体における前記吹出口を有する吹出面に内接するファンケースと、前記吸込口から前記吹出口に空気を導く送風部と、を備え、前記ファンケースは、前記排気口の周縁に下流方向に突出する壁部と、前記壁部よりも外周側に前記排気口よりも外周側への空気の漏れを抑制する弾性材と、を備えたものであり、これにより所期の目的を達成するものである。
【発明の効果】
【０００９】
本発明によれば、ファンケースと筐体との間の接合部近傍における空気の漏れを抑制し、効率よい送風を実現できる、という効果を得ることができる。
【図面の簡単な説明】
【００１０】
【図１】本発明に係る天井埋込型換気扇の断面図
【図２】天井埋込型換気扇の上面斜視図
【図３】天井埋込型換気扇の斜視分解図
【図４】従来の天井埋込型換気扇の斜視図
【発明を実施するための形態】
【００１１】
以下、添付図面を参照して本発明の実施の形態について説明し、本発明の理解に供する。なお、以下の実施の形態は、本発明を具体化した一例であって、本発明の技術的範囲を限定するものではない。また、全図面を通して、同一の部位については同一の符号を付して二度目以降の説明を省略している。
【００１２】
（実施の形態）
図１は本実施の形態に係る天井埋込型換気扇の断面図である。
【００１３】
図１に示すように、本発明に係る天井埋込型換気扇１は、換気扇本体２と、ルーバー３と、を備えている。
【００１４】
換気扇本体２は、筐体４と、アダプター５と、ファンケース６と、送風部７と、を備えている。
【００１５】
筐体４は、角筒形で内部空間を有し金属製の箱体である。筐体４は、吸込口８と、吹出口９と、を備える。
【００１６】
吸込口８は、筐体４の底面に設けられ、筐体４の内部空間へ空気を吸い込むための開口である。吸込口８は、天井埋込型換気扇１を運転した際の、室内空気の送風部７への入り口を構成する。
【００１７】
吹出口９は、底面に隣接する四つの側面のいずれか一つの側面、つまり一側面に設けられ、筐体４の内部空間に吸い込んだ空気を筐体４の外部に吹き出すための開口である。ここで、吹出口９を備えた一側面を特に吹出面とする。
【００１８】
筐体４は、さらに天面板１０と、側面板１１と、を備えている。
【００１９】
天面板１０は、矩形形状を有し、吸込口８が設けられた底面に対向する面、つまり天面に設けられる。天面板１０は、一端辺に天面から垂直に立設する立設面１２を備える。
【００２０】
側面板１１は、天面板１０に隣接する四つの側面を形成する四枚の板として設けられる。四つの側面板１１は、外形（外周）がすべて同一形状であるが、いずれか一つに吹出口９に該当する開口を備える。
【００２１】
四つの側面板１１の外形がすべて同一形状であることにより、例えば、金属製の側面板１１を作製する金型を複数作製する必要がなく、側面板１１の作製にかかる費用を低減することができる。
【００２２】
立設面１２は、側面板１１の吹出口９の内周を通って天面に垂直に立設するが詳細は後述する。
【００２３】
アダプター５は、筐体４と接続するアダプタープレート１３と、ダクトを接続するダクト接続部１４と、を備える。
【００２４】
アダプタープレート１３は、筐体４の吹出口９が設けられた一側面の下流側に設けられる。アダプタープレート１３は、吹出口９が設けられた一側面に対応させた矩形形状であるが、天面板１０方向、つまり高さ方向は立設面１２の上端部までの高さを有する。アダプタープレート１３は、吹出口９に対応させた開口を備え、当該開口はダクト接続部１４に連通する。
【００２５】
ダクト接続部１４は、アダプタープレート１３から下流側に向けて立設し、上流側は矩形であり下流側は円筒形状を有する。ダクト接続部１４は、アダプター５の内部空間を吹出口９と接続され、筐体４の内部から吹き出される排気を誘導する。ダクト接続部１４は、例えば屋内と屋外とを連通するダクトの屋内側端部が接続されることにより、天井埋込型換気扇１の排気が屋外に排出可能となる。
【００２６】
ファンケース６は、吸込口８に対応する給気口１５と吹出口９に対応する排気口１６とを有し、排気口１６を有する排気面が筐体４における吹出口９を有する吹出面に内接する。
【００２７】
送風部７は、筐体４の内部に設けられる。送風部７は、羽根１７と、モーター１８と、を備える。
【００２８】
羽根１７は、ファンケース６の内部に配置される。羽根１７は、円筒形状を有し、円筒形状における底面を吸込口８に対向させて配置される。羽根１７は、側面に複数のフィンを備え、羽根１７を円筒形状における周方向に回転することにより吸込口８から吹出口９方向への気流を発生させる。羽根１７は、例えばシロッコファンが利用できる。
【００２９】
モーター１８は、天面板１０に固定され、ファンケース６の内部空間に向けて回転軸を突出させている。モーター１８は、給電により回転軸を回転させることにより、回転軸に固定された羽根１７を回転駆動する。
【００３０】
ルーバー３は、中央部に通気開口を備えた板状を有し、例えば対向する辺に２つの針がね部を備え、筐体４に設けられた針がね部に対応する針がね部係合構造と係合させることで、吸込口との距離を可変に室内側天井に設置できる。
【００３１】
図２は本実施の形態に係る換気扇の上面斜視図である。
【００３２】
吹出面に設けられた吹出口９は、ファンケース６の排気口１６よりも大きい。つまり、排気口１６を有する排気面が筐体４における吹出口９を有する吹出面に内接する状態において、ファンケース６の排気面に吹出口９と排気口１６との開口サイズの差分、Ｕ字型の露出面１９が形成される。また、Ｕ字型における上端開口部には、立設面１２が位置する。
【００３３】
ファンケース６は、排気口１６の周縁に下流方向に突出する壁部２０を備える。壁部２０は、下流方向への突出高さが筐体４の吹出面の厚さと一致する。ファンケース６は、露出面１９、つまり壁部２０と吹出口９の内周辺との間に露出面１９の形状と一致するＵ字型の弾性材２１ａを備える。
【００３４】
立設面１２の外周側平面は、吹出口９を有する側面板１１の外周側平面と同一平面上に位置し、当該立設面１２の下端を構成する一辺が吹出口９の上端の一辺を構成する。立設面１２の下端は、つまり吹出口９の周縁に該当する位置に弾性材２１ｂを備える。
【００３５】
弾性材２１ａ及び弾性材２１ｂは、同一の弾性素材でできており、弾性材２１ａのＵ字型における開口部を直線状の弾性材２１ｂが塞ぐことにより、中央部が開口した矩形の弾性材２１が形成される。弾性材２１の下流側の全面は、アダプタープレート１３の上流側の矩形開口の外周面によって抑え込まれる。つまり、弾性材２１は、ファンケース６の排気口１６を有する壁面と、アダプタープレート１３とに狭持される。このため、筐体４とアダプター５との間に隙間が生じることがなく、すなわち密閉性を維持して空気の漏れを抑制し、効率よい送風を実現できる。また、弾性材２１は露出面１９に配置されているため、ファンケース６の排気口１６を有する壁面と側面板１１（吹出面）との間の空気の漏れと、アダプタープレート１３と側面板１１（吹出面）との間の空気の漏れとを同時に塞ぐことができる。このため、側面板１１の内周と外周の両面に弾性材２１を配した場合と比較して、漏れる可能性のある面積を半減でき、漏れのリスクを低減できる。当然、材料コストや製造時の作業コストの低減にも寄与できる。
【００３６】
上記構成では、排気口１６の上辺（一辺）が天面板１０と同一平面上に位置するため、弾性材２１ｂは天面板１０の立設面１２下端に配置されている。しかし、排気口１６の上辺が天面板１０と一致しない構成では、露出面はロの字形状（中央部が開口した矩形形状）となり、弾性材２１ａ、弾性材２１ｂともにファンケース６に配置さえることになる。
【００３７】
天面板１０は、モーター１８を固定するモーター固定部２２を備え、立設面１２の上端辺は、天面板１０から突出するモーター１８の上端よりも上方に位置する。さらに、モーター１８の上端を基準として立設面１２とは逆側に、立設面１２の上端辺と略同一の高さを有するモーター保護部２３を備える。モーター保護部２３は、例えば充電部を保護する電装ボックスが利用できる。
【００３８】
このため、天井埋込型換気扇１は、天面側を下向きにして例えば床に置かれたときに、モーター１８の上面が直接床に接触することがなく、モーター１８に加わる衝撃から保護することができる。特にモーター１８は、天井埋込型換気扇１の部位の中でも衝撃に弱く、例えば衝撃により軸にずれが発生すると羽根１７の回転時に異音が発生するが、衝撃からの保護により、このリスクを低減することができる。
【００３９】
図３は天井埋込型換気扇の斜視分解図である。
側面板１１は、天面折曲部２４と、側面折曲部２５と、被重合領域２６と、を備える。
【００４０】
天面折曲部２４は、側面板１１の上端辺から天面板１０の中心に向けて延設された、側面板１１に垂直な曲げである。各側面板１１の天面折曲部２４は、天面板１０のそれぞれ対応する端辺の上方に重ねて固定される。
【００４１】
なお、吹出口９を設けられた側面板１１は、吹出口９が天面折曲部２４の端部２７にまで至って設けられており、立設面１２は、吹出口９の内周を通って端部２７に配置され、天面に垂直に立設している。これにより、立設面１２と吹出口９を設けられた側面板１１とは、外周側平面が同一平面上に位置する。そして、立設面１２を構成する下端の一辺が吹出口９の上辺を構成する。これにより、天面板１０と吹出口９を設けられた側面板１１とが正確に位置決めされ、天面板１０に固定される送風部７と吹出口９を設けられた側面板１１とも正確に位置決めされる。つまり、上流から下流方向への側面板１１のずれが生じ難く、アダプタープレート１３と筐体４とのずれも抑制でき、空気の漏れの抑制に寄与することができる。
【００４２】
側面折曲部２５は、側面板１１の一側面から隣接する側面板１１に平行に延設された、側面板１１に垂直な曲げである。各側面板１１の側面折曲部２５は、一方に隣接する側面板１１の被重合領域２６に、筐体４の外周側から重ねて固定される。
【産業上の利用可能性】
【００４３】
本発明に係る天井埋込型換気扇は、流路を構成する別々の部品が係合した換気装置である空調機や送風機等に応用が可能である。
【符号の説明】
【００４４】
１    天井埋込型換気扇
２    換気扇本体
３    ルーバー
４    筐体
５    アダプター
６    ファンケース
７    送風部
８    吸込口
９    吹出口
１０    天面板
１１    側面板
１２    立設面
１３    アダプタープレート
１４    ダクト接続部
１５    給気口
１６    排気口
１７    羽根
１８    モーター
１９    露出面
２０    壁部
２１、２１ａ、２１ｂ    弾性材
２２    モーター固定部
２３    モーター保護部
２４    天面折曲部
２５    側面折曲部
２６    被重合領域
２７    端部
１０１    天井埋込型換気扇
１０２    筐体
１０３    アダプター
１０４    吹出口
１０５    排気口
【図１】
2020143866.tif 000003
【図２】
2020143866.tif 000004
【図３】
2020143866.tif 000005
【図４】
2020143866.tif 000006